(57)【要約】【課題】  不定形サイズ原稿を繰り返しコピーする操作者に対して、作業を簡略化し利便性を向上可能な画像形成装置、表示制御方法、プログラムを提供する。【解決手段】  原稿読取部と表示部とを備えた画像形成装置であって、原稿読取部に原稿が設置されたことを検知する検知手段と、原稿読取部に原稿が設置されたことが検知されると、当該原稿のサイズが所定のサイズであるかを判定する判定手段と、原稿読取部に設置された原稿の読取動作を伴う機能の一つを実行可能な第一の機能を実行する際に、表示部に第一の機能画面を表示する第一の表示手段と、第一の機能画面が表示されている状態で、判定された原稿のサイズが所定のサイズではないと判定された場合に、表示部に表示されている第一の機能画面を、第一の機能を特定の設定にした第二の機能を実行する際に表示される第二の機能画面に切り替えて表示する第二の表示手段と、を設けた。【選択図】  図５
2019047389.tif 000002
【特許請求の範囲】
【請求項１】
原稿読取部と表示部とを備えた画像形成装置であって、
前記原稿読取部に原稿が設置されたことを検知する検知手段と、
前記原稿読取部に原稿が設置されたことが検知されると、当該原稿のサイズが所定のサイズであるかを判定する判定手段と、
前記原稿読取部に設置された原稿の読取動作を伴う機能の一つを実行可能な第一の機能を実行する際に、前記表示部に第一の機能画面を表示する第一の表示手段と、
前記第一の機能画面が表示されている状態で、前記判定された原稿のサイズが前記所定のサイズではないと判定された場合に、前記表示部に表示されている前記第一の機能画面を、前記第一の機能を特定の設定にした第二の機能を実行する際に表示される第二の機能画面に切り替えて表示する第二の表示手段と、
を設けたことを特徴とする画像形成装置。
【請求項２】
前記第一の機能は、定形サイズの原稿をコピーするための機能であり、前記第二の機能は定形サイズより小さい不定形サイズの原稿をコピーするための機能である、ことを特徴とする請求項１に記載の画像形成装置。
【請求項３】
前記第二の機能は、前記第一の機能を不定形サイズ原稿のコピーに対応して設定した機能である、ことを特徴とする請求項２に記載の画像形成装置。
【請求項４】
前記第二の機能の前記特定の設定は、原稿の表面と裏面を印刷用紙の同一面に印刷する設定である、ことを特徴とする請求項２または３に記載の画像形成装置。
【請求項５】
前記第二の機能画面は前記第一の機能画面に遷移可能な操作ボタンを有する、ことを特徴とする請求項１に記載の画像形成装置。
【請求項６】
前記不定形サイズの原稿は免許証または身分証である、ことを特徴とする請求項１に記載の画像形成装置。
【請求項７】
前記検知手段は、原稿を前記原稿読取部の原稿台で検知する、ことを特徴とする請求項１に記載の画像形成装置。
【請求項８】
前記第二の機能の前記特定の設定は、さらに、原稿の表面と裏面を所定の集約モードで印刷する設定を含む、ことを特徴とする請求項４に記載の画像形成装置。
【請求項９】
前記第二の機能の前記特定の設定は、さらに、印刷用紙のサイズ、種類、またはカラー／白黒印刷に関する設定を含む、ことを特徴とする請求項４に記載の画像形成装置。
【請求項１０】
前記第二の機能画面は、原稿の１面目の読み取り実行を促す機能画面と、１面目の読み取りが完了すると、２面目の読み取り実行を促す機能画面とを有する、ことを特徴とする請求項４に記載の画像形成装置。
【請求項１１】
原稿読取部と表示部とを備えた画像形成装置における表示制御方法であって、
前記原稿読取部に原稿が設置されたことを検知する検知工程と、
前記原稿読取部に原稿が設置されたことが検知されると、当該原稿のサイズが所定のサイズであるかを判定する判定工程と、
前記原稿読取部に設置された原稿の読取動作を伴う機能の一つを実行可能な第一の機能を実行する際に、前記表示部に第一の機能画面を表示する第一の表示工程と、
前記第一の機能画面が表示されている状態で、前記判定された原稿のサイズが前記所定のサイズではないと判定された場合に、前記表示部に表示されている前記第一の機能画面を、前記第一の機能を特定の設定にした第二の機能を実行する際に表示される第二の機能画面に切り替えて表示する第二の表示工程と、
を設けた、
ことを特徴とする表示制御方法。
【請求項１２】
コンピュータを請求項１乃至１０のいずれか１項に記載された各手段として機能させるためのプログラム。
【発明の詳細な説明】
【技術分野】
【０００１】
本発明は、表示部の表示制御を行う画像形成装置、表示制御方法、及びプログラムに関する。
【背景技術】
【０００２】
複合機などの画像形成装置には、Ａ４，Ｂ４，Ｂ５などの定形サイズ原稿を定形サイズ用紙にコピーする用途がある。それとは別に、画像形成装置には、身分証など、定形サイズ原稿より小さい不定形サイズ原稿の表面と裏面を、印刷用紙の共通の面に割り付けるようコピーするような特別な用途もある。この特別な用途を実現する場合、印刷する用紙サイズやスキャンした原稿の集約モードなどを設定する必要があるため、何度も作業を行う場合に操作者の作業量が増大する。そこで、特許文献１に記載の画像形成装置は、不定形サイズ原稿のサイズと集約モードを一度設定し登録しておくことで、それ以降の、同様の不定形サイズ原稿の印刷の際の再設定作業を不要にしている。
【０００３】
また、特許文献２に記載の画像読取装置には、原稿台に設置された原稿のサイズを特定する手段の一例が開示されている。主走査方向については、原稿読み込み動作の開始以前に、電荷結合素子（ＣＣＤ）センサで原稿の先端部を読み取ることでサイズを検知する。副走査方向については、原稿サイズ検知用のセンサを設置し、原稿による光の反射を検出して原稿サイズを検知する。画像読取装置は、それら２つの検知結果に基づき原稿サイズを検知する。
【先行技術文献】
【特許文献】
【０００４】
【特許文献１】特開２０１０−１２８２７４号公報
【特許文献２】特開２００１−３４６００９号公報
【発明の概要】
【発明が解決しようとする課題】
【０００５】
特許文献１に記載の技術を用いて、登録している不定形サイズ原稿の集約コピーを繰り返す場合、ホーム画面からコピーメニューを選択する作業から、登録している設定を呼び出す作業、原稿の設置作業、コピー動作を実行する作業までを繰り返す。上記作業中の設定登録作業は、画像形成装置の設計者や操作者以外の作業者が設定してもよい。そのため、操作者が登録された設定を予め知っていなければ、登録された設定を用いることができない。また、登録された設定を予め知っている操作者が、繰り返しコピーを行うことを考えると、コピー作業の度に登録された設定を呼び出す作業を行うため、作業量が増大する。
【０００６】
本特許は、上記の課題を解決するためになされたものである。本発明の目的は、こうした身分証などの不定形サイズ原稿を繰り返しコピーする操作者に対して、作業を簡略化し利便性を向上することができる画像形成装置、表示制御方法、プログラムを提供することである。
【課題を解決するための手段】
【０００７】
上記目的を達成する本発明の画像形成装置は以下の構成を備える。
原稿読取部と表示部とを備えた画像形成装置であって、
前記原稿読取部に原稿が設置されたことを検知する検知手段と、
前記原稿読取部に原稿が設置されたことが検知されると、当該原稿のサイズが所定のサイズであるかを判定する判定手段と、
前記原稿読取部に設置された原稿の読取動作を伴う機能の一つを実行可能な第一の機能を実行する際に、前記表示部に第一の機能画面を表示する第一の表示手段と、
前記第一の機能画面が表示されている状態で、前記判定された原稿のサイズが前記所定のサイズではないと判定された場合に、前記表示部に表示されている前記第一の機能画面を、前記第一の機能を特定の設定にした第二の機能を実行する際に表示される第二の機能画面に切り替えて表示する第二の表示手段と、を設けた。
【発明の効果】
【０００８】
本発明の画像形成装置によれば、操作者が原稿を原稿読取部に設置した際に、原稿サイズを自動的に判別する。さらに、原稿サイズが、所定のサイズ以外と判別された場合、所定のサイズの原稿のコピーの際に表示される第一の機能画面を、所定のサイズ以外の原稿のコピーに対して予め設定された第二の機能画面に自動的に切替えて表示部に表示するようにした。それにより、例えば、身分証などの、定形サイズより小さい不定形サイズ原稿の場合の、固有の設定作業を省略でき、コピー作業を終了するまでの作業数を削減し、操作者の利便性を向上することができる。
【図面の簡単な説明】
【０００９】
【図１】本発明の実施例に係る画像形成装置のハードウェア構成の一例を示すブロック図。
【図２】本実施例に係るホーム画面の一例を示す図。
【図３】本実施例に係るコピー画面の一例を示す図。
【図４】本実施例に係る、不定形サイズ原稿を検知した場合の身分証コピー実行確認画面の一例を示す図。
【図５】本実施例に係る、身分証コピーを実行するための動作の一例を示すフローチャート。
【図６】身分証コピーの集約モードの一例を示す図。
【発明を実施するための形態】
【００１０】
以下、本発明を実施するための形態について図面を用いて説明する。
図１は、本発明の実施例に係る画像形成装置100のハードウェア構成の一例を示すブロック図である。画像形成装置100は、例えば、ＣＰＵ101、ＲＯＭ102、ＲＡＭ103、表示コントローラ104、表示部105、操作コントローラ106、操作部107、読取コントローラ110、読取部111、記録コントローラ112、記録部113、を備える。さらに、画像形成装置は、例えば、ＵＳＢホストコントローラ114、ＭＯＤＥＭ115、網制御ユニット（以下「ＮＣＵ」という。）116、およびネットワークインタフェースカード（以下「ＮＩＣ」という。）117を備える。さらに、例えば、ｅＭＭＣ（Embedded Multi Media Card）ホストコントローラ108、ｅＭＭＣ109を備える。
【００１１】
ＣＰＵ101は、システムバス118を介して画像形成装置100の各部を統括的に制御する。ＣＰＵ101は、電源が供給されると、ＲＯＭ102に記憶されたブートプログラムを実行する。通常、ブートプログラムは、ストレージとしてのｅＭＭＣ109に保存されているメインプログラムをＲＡＭ103にロードし、ロードされたメインプログラムの先頭にジャンプする。ＲＡＭ103は、メインプログラムのロード場所として機能するとともに、メインプログラムのワークエリアなどとしても機能する。
【００１２】
表示コントローラ104は、表示部105への表示を制御する。表示部105は、例えば、文字列、罫線、およびスクロールバーなどを表示可能な液晶ディスプレイ（ＬＣＤ）などによって構成されうる。操作コントローラ196は、画像形成装置100に設けられた操作部107からの入力を制御する。操作部107は、例えば、タッチパネル、テンキー、カーソルキー、ワンタッチキーなどによって構成される。
【００１３】
原稿読取部としての読取部111は電荷結合素子（ＣＣＤ）や、反射型センサを用いた原稿サイズ検知センサなどで構成され、読み取り対象の原稿のサイズを検知するとともに、原稿の情報を光学的に読み取る。読取部111での原稿の設置個所としては、１枚ずつの原稿を読み取る原稿台と、複数枚の原稿を自動的に読み取ることができるオートドキュメントフィーダの２か所があり、それぞれの設置個所で原稿が設置されたことを検知することが可能である。
【００１４】
読取部111は、読取コントローラ110に接続されており、ＣＰＵ101は、読取コントローラ110を介して読取部111と情報の授受を行う。記録部113は、例えば電子写真方式で記録紙（シート）に画像を形成する。記録部113は、記録コントローラ112に接続されており、ＣＰＵ101は、記録コントローラ112を介して記録部113と情報の授受を行う。
【００１５】
ＵＳＢホストコントローラ114は、ＵＳＢのプロトコル制御を行い、ＵＳＢメモリ130などのＵＳＢデバイスに対するアクセスを仲介する。ＭＯＤＥＭ115は、ファクシミリ通信に必要な信号の変調・復調を行う。ＭＯＤＥＭ115は、ＮＣＵ116に接続されており、ＭＯＤＥＭ115で変調された信号は、ＮＣＵ116を介して公衆回線網（ＰＳＴＮ）に送出される。ＮＩＣ117は、ＬＡＮを介して、メールやファイルのサーバなどと双方向にデータの授受を行う。ＣＰＵ101は、ｅＭＭＣホストコントローラ108を介してｅＭＭＣ109にアクセスする。
【００１６】
次に、表示部105に表示される各機能画面例について図２乃至図４を用いて説明する。
図２はホーム画面の一例である。ホーム画面にはスキャン、コピー、ファクスなど画像読取を行う機能や、プリントなど画像読取を行わない機能、設定やヘルプなど画像読取も画像形成も行わない機能など、画像形成装置100が有する様々な機能画面へ遷移するためのボタンが表示されている。図２は代表的なホーム画面であり、画面内のコピーボタンが押されることで、図３（ａ）のコピー画面に遷移する。
【００１７】
図３（ａ）はコピー画面の一例である。コピー画面ではカラー／白黒印刷や用紙サイズ、種類など各種の設定が可能であるとともに、スタートボタン301を押せばコピーを実行することができる。ホーム画面に戻る場合、ホームボタン302を押すか、戻るボタン303を押す。コピー作業の各種の設定を予め登録された初期設定に戻したい場合は、初期設定ボタン304を押すと、各種の設定が予め登録された初期設定に変更される。各種の設定を行う場合、コピー画面内のスクロールウィンドウ305から設定したいボタンを表示して押す。
【００１８】
例えば、カラーコピーか白黒コピーを手動で設定する場合、スクロールウィンドウ305内のカラー選択ボタン306を押す。カラー選択ボタン306が押されると、図３（ｂ）に遷移し、画面上にカラー決定ボタン307と白黒決定ボタン308が表示された拡張画面309が追加されたコピー画面が表示される。例えば、図３（ｂ）でカラー決定ボタン307が押されることで、図３（ｃ）に遷移し、スクロールウィンドウ310内のカラー/白黒設定が、初期設定の「自動」から「カラー」に変化する。用紙サイズ、種類など他の設定も同様にして行う。
【００１９】
図４（ａ）は、コピー画面を表示中に読取部111が、定形サイズより小さい身分証、免許証などの不定形サイズ原稿を検知した場合に、コピー画面に代わり表示される不定形サイズ原稿コピー実行確認画面を示す。本実施例では、不定形サイズ原稿をオートドキュメントフィーダではなく原稿台で検知した場合に、不定形サイズ原稿コピー実行確認画面が自動的に表示されるものとする。ここでは、表示定形サイズ原稿コピー実行確認画面の一例として、原稿の１面目の読み取り実行を促す機能画面である、身分証コピー実行確認画面を示す。
図４（ａ）の身分証コピー実行確認画面は、身分証コピー説明画面401と、身分証コピーを実行するためのスタートボタン402と、図３（ｃ）などのコピー画面に遷移可能な、即ち戻るための操作ボタンとしてのキャンセルボタン403とで構成される。スタートボタン402が押されることで、コピー作業の各種の設定が身分証コピーを行うための設定に変更され、読取部111で原稿の１面目の読み取りが実行される。
【００２０】
身分証コピーを行うための設定とは、例えば、用紙サイズをＡ４用紙とし、用紙種類を普通紙とし、原稿の両面（２面）の画像を印刷用紙の同一面（１面）に集約する集約モード（２ｉｎ１）とする設定である。また、さらに、カラー／白黒印刷に関する設定を含ませるようにしてもよい。このような設定情報は、予め、例えば、ＲＡＭ103等の記憶部に初期設定されており、身分証コピー実行確認画面による身分証コピー実行の際に自動的に読み出され、その設定に基づきコピーが実行される。この初期設定のうち、例えば、用紙サイズ等は、作業者等により、変更可能としてもよい。
なお、２ｉｎ１の集約モードとしては、さらに、例えば、図６（ａ）に示す様に、印刷用紙601の横長方向に沿って表面、裏面の画像を印刷するもの、図６（ｂ）に示す様に、印刷用紙602の縦長方向に沿って表面、裏面の画像を印刷するものなどがある。これについても、いずれを採用するか予め設定するようにしてもよい。
【００２１】
また、上記設定情報のうち、例えば、用紙サイズ、用紙種類、カラー／白黒のいずれか１つ以上を図３（ａ）のコピー画面で設定するようにしてもよい。その場合は、不定形サイズ原稿を検知した際に、コピー画面でその設定が完了した時点で、身分証コピー実行確認画面に遷移するようにすればよい。
【００２２】
身分証コピー実行確認画面のキャンセルボタン403が押されることで、身分証コピー実行確認がキャンセルされ、図３（ｃ）のコピー画面が表示される。実施例では、身分証コピー実行確認画面表示直前までに設定された、コピー作業の各種の設定は保持されるが、コピー作業の各種の設定を全て初期設定に戻してもよい。その場合は、キャンセルボタン403が押された際に、表示される画面は図３（ｃ）ではなく、図３（ａ）に変化する。
【００２３】
読取部111で原稿の１面目の読み取りが実行される間、表示部105には図４（ｂ）の身分証コピーの状態表示画面404が表示される。身分証コピーの状態表示画面404には、ストップボタン405が配置され、ストップボタン405が押されることで身分証コピーの実行がキャンセルされる。身分証コピーがキャンセルされると、キャンセルボタン403が押された時と同様に、図３（ｃ）のコピー作業の各種設定がなされたコピー画面に遷移する。
【００２４】
読取部111で原稿の１面目の読み取りが完了すると、図４（ｃ）の身分証コピーの２面目の読み取り実行を促す機能画面である、継続確認画面406に遷移する。身分証コピーの継続確認画面406は、２面目の読み取り実行を指示するスタートボタン407と、操作ボタンとしてのキャンセルボタン408を含む。操作者は、身分証コピーの継続確認画面406が表示された後、読取部111の原稿台に設置された原稿を２面目に変更し、スタートボタン407を押す。スタートボタン407が押されたことで、読取部111は原稿の２面目を読み取る。キャンセルボタン408が押された場合、ストップボタン405が押された場合と同様に身分証コピーの実行がキャンセルされ、図３（ｃ）のコピー作業の各種設定がなされたコピー画面に遷移する。
【００２５】
２面目の読み取り中は、図４（ｂ）の身分証コピーの状態表示画面404が表示される。読取完了後、コピー作業の各種の設定に合わせて編集された出力画像が記録部113より出力される。
【００２６】
図５は、本実施例の画像形成装置100において、定形サイズ原稿より小さい不定形サイズ原稿の一例として、身分証のコピーを実行するための動作の一例を示すフローチャートである。
図５のフローチャートに係る画像形成装置100上で動くプログラムは、例えば、ストレージに格納されており、ＲＡＭ103に読み出されＣＰＵ101によって実行される。以下の説明において、符号Sはステップを示す。
【００２７】
図５のフローチャートにおいては、ホーム画面からコピー画面に遷移した時点をフローの開始とする。
先ず、S501で、コピー画面を表示する。S502で、読取部111が原稿を検知したか否かを判定し、原稿が検知されない間は、S503に進み、スクロールウィンドウ305での操作を受け付けて、コピー作業の各種の設定を変更する。設定変更の一例として、は、出力部数、集約モード（Ｎｉｎ１：Ｎ個の画像を同一面（１面）に集約）の変更などである。
S502で、読取部111が原稿を検知したと判定された場合、S504に進み、原稿を原稿台で検知したか否かを判定する。原稿を原稿台ではなくオートドキュメントフィーダで検知した場合はS505へ進む。
【００２８】
S505では、S503と同じくスクロールウィンドウ305での操作を受け付けて、コピー作業の各種の設定を変更することができ、S506でスタートボタン301が押されるまで変更が可能である。S506でスタートボタン301が押された場合、変更されたコピー作業の各種の設定に応じて原稿の読み取りを実行する（S507）。その後、読み取り結果と、変更されたコピー作業の各種の設定に応じて印刷用紙に印刷する（S508）。
【００２９】
S504において、原稿台で原稿を検知したと判定された場合は、S509 へ進み、検知された原稿のサイズが定形サイズであるか、定形サイズよりも小さいサイズであるかを判定する。定形サイズである場合、S505へ進む。定形サイズよりも小さい不定形サイズの場合、S510で図４（ａ）の身分証コピー実行確認画面を表示する。S511でスタートボタン402が押されたか否かを判定し、押されるとS512で、コピー作業の各種の設定を、身分証コピーを行うための設定情報に変更する。
【００３０】
上記設定情報のうち、例えば、用紙サイズ、用紙種類、カラー／白黒のいずれか１つ以上を図３（ａ）のコピー画面で設定するようにしてもよい。その場合、S509におい不定形サイズ原稿を検知したと判定された際に、S510に進む前に、コピー画面でその設定を操作者に促す表示を行い、設定が完了した時点で身分証コピー実行確認画面に遷移するようにすればよい。
【００３１】
次いで、S513で、原稿台に設置された身分証の２面目（表面）の読み取りを行う。この時、図４（ｂ）の身分証コピーの状態表示画面404が表示される。読み取りが完了すると、S514で、図４（ｃ）の身分証コピーの継続確認画面406を表示する。S515 で、スタートボタン407が押されると、S516に遷移し、原稿台に設置された身分証の１面目（裏面）の読み取りを行う。読み取りが完了すると、S517において、読み取り結果と変更されたコピー作業の各種の設定に応じて、原稿の両面画像が集約して印刷用紙に印刷される（図６参照）。
【００３２】
S511でスタートボタン402が押されず、キャンセルボタン403が押された場合（S518）、コピー作業を中断して、図３（ｃ）のコピー画面が表示される（S519）。また、S515でスタートボタン407が押されず、キャンセルボタン408が押された場合（S520）、同様にコピー作業を中断して、図３（ｃ）のコピー画面が表示される。
【００３３】
本実施例によれば、操作者が原稿を原稿読取部に設置した際に、原稿サイズを自動的に判別する。さらに、原稿サイズが、所定のサイズ以外、即ち、定形サイズより小さい身分証、免許証などの不定形サイズと判別された場合、所定のサイズの原稿のコピーの際に表示される第一の機能画面であるコピー画面（図３）を第二の機能画面（図４）に自動的に切替える。ここで、第一の機能画面とは、原稿読取部に設置された原稿の読取動作を伴う機能の一つを実行可能な第一の機能（定形サイズの原稿をコピーするための機能）を実行する際に、表示部に表示されるコピー画面である。第一の機能画面が表示されている状態で、不定形サイズ原稿が検知されると、不定形サイズ原稿のコピーに対して予め設定された第二の機能画面である不定形サイズ原稿コピー実行確認画面（図４）に自動的に切替えて表示部に表示するようにした。ここで、第二の機能画面とは、第一の機能を、不定形サイズ原稿のコピーに対応して特定の設定にした第二の機能（不定形サイズの原稿をコピーするための機能）を実行する際に表示される画面である。それにより、不定形サイズ原稿のコピー作業の場合の、固有の設定作業を削除でき、コピー作業を終了するまでの作業数を削減し、操作者の利便性を向上することができる。
【００３４】
以上説明したように、上記実施例において、画像形成装置及び画像処理装置の表示制御方法、プログラムについて説明した。しかし、本発明は、上記実施例に限定されるものではない。即ち、上記実施例では、定形サイズより小さい不定形サイズ原稿として、身分証、免許証の場合について説明したが、これに限らない。例えば、パスポートサイズの原稿を自動的に判別し、それを所定の用紙に所定の集約モードで印刷すべく、設定情報を予め、例えば、ＲＡＭ103等の記憶部に初期設定するようにしてよい。また、不定形サイズ原稿として複数種類の原稿を自動的に判別可能とし、それぞれに対応する設定情報を記憶部に初期設定し、不定形サイズ原稿の種類に応じた設定（用紙サイズ、集約モード等）でコピー作業を行うようにしてよい。
【００３５】
(その他の実施例) 
本発明は、上述の実施例の1以上の機能を実現するプログラムを、ネットワーク又は記憶媒体を介してシステム又は装置に供給し、そのシステム又は装置のコンピュータにおける1つ以上のプロセッサーがプログラムを読出し実行する処理でも実現可能である。また、1以上の機能を実現する回路(例えば、ASIC)によっても実現可能である。
【符号の説明】
【００３６】
１００  画像形成装置
１０１  ＣＰＵ
１０５  表示部
【図１】
2019047389.tif 000003
【図２】
2019047389.tif 000004
【図３】
2019047389.tif 000005
【図４】
2019047389.tif 000006
【図５】
2019047389.tif 000007
【図６】
2019047389.tif 000008